(57)【要約】      （修正有）【課題】遊技台の扉体の開放を必ずしも伴わなくても表示装置を遊技台の前面に付設することができ、よって表示装置を遊技台に設置したり当該表示装置を交換したりする際における作業者の負担を軽減することができる遊技システムおよび表示ユニットを提供する。【解決手段】遊技システム１０は、遊技媒体により遊技を行う遊技台１２と、この遊技台１２の扉体（例えば、下部扉１６）の前面に配置され、遊技台１２に関する情報を表示するための表示装置２０と、表示装置２０を遊技台１２の前面に取り付けるための係合体３０とを備えており、係合体３０は、遊技台１２との間で係合を行う第１の係合手段３２と、表示装置２０との間で係合を行う第２の係合手段３６とを有している。【選択図】図２
2015058190.tif 000002
【特許請求の範囲】
【請求項１】
遊技媒体により遊技を行い、その前面の所定部位を開閉するための扉体が設けられた遊技台と、
前記扉体の前面に配置され、前記遊技台に関する情報を表示するための表示装置と、
前記表示装置を前記遊技台の前面に取り付けるための係合体と、
を備え、
前記係合体は、前記遊技台との間で係合を行う第１の係合手段と、前記表示装置との間で係合を行う第２の係合手段とを有することを特徴とする、遊技システム。
【請求項２】
前記表示装置には、前記遊技台に関する情報を表示する機能と、操作者が指示を入力するための機能とを兼ね備えた表示操作部が設けられていることを特徴とする、請求項１記載の遊技システム。
【請求項３】
前記第１の係合手段が係合状態のまま、前記第２の係合手段の係合状態を解除可能であるとともに、前記第２の係合手段が係合状態のまま、前記第１の係合手段の係合状態を解除可能であることを特徴とする、請求項１または２記載の遊技システム。
【請求項４】
前記第２の係合手段は、前記表示装置と前記係合体とが所定の位置関係となったときに位置固定を行う固定手段を有しており、前記固定手段は所定の遠隔操作装置による操作を受け付けたときに固定状態を解除可能となっていることを特徴とする、請求項１乃至３のいずれか一項に記載の遊技システム。
【請求項５】
前記遊技台に対応して設けられ、当該遊技台での遊技に関する所定の処理を行う各台装置を更に備え、
前記各台装置は、前記表示装置に接続されるとともに、当該表示装置との間で通信を行う通信手段を有していることを特徴とする、請求項１乃至４のいずれか一項に記載の遊技システム。
【請求項６】
前記各台装置と前記表示装置とを接続する接続部を更に備え、
前記接続部には、前記扉体を開く時に前記表示装置の移動を可能にする第１の移動手段と、前記遊技台の前面から前記表示装置を退避させる第２の移動手段とが設けられていることを特徴とする、請求項５記載の遊技システム。
【請求項７】
前記接続部は、前記各台装置に対する前記表示装置の相対位置を調整するための位置調整手段を有していることを特徴とする、請求項６記載の遊技システム。
【請求項８】
遊技媒体により遊技を行う遊技台の前面に設けられた表示ユニットであって、
前記遊技台の前面の所定部位を開閉するための扉体の前面に配置され、当該遊技台に関する情報を表示するための表示装置と、
前記表示装置を前記遊技台の前面に取り付けるための係合体と、
を備え、
前記係合体は、前記遊技台との間で係合を行う第１の係合手段と、前記表示装置との間で係合を行う第２の係合手段とを有することを特徴とする、表示ユニット。
【発明の詳細な説明】
【技術分野】
【０００１】
本発明は、表示装置が設けられた遊技台、特に大型の表示装置が設けられた遊技台を含む遊技システム、およびこのような表示装置に係る表示ユニットに関する。
【背景技術】
【０００２】
遊技機業界において、遊技媒体を機体内で循環させることにより当該遊技媒体の払出しを不要とする遊技媒体封入型の遊技台の導入が検討されている（例えば、特許文献１等参照）。このような遊技台では、従来の遊技台と同様に遊技者が発射装置（ハンドル）を用いて遊技媒体（具体的には、遊技玉）を盤面に打ち出して遊技するが、遊技媒体は遊技台内で循環させ、遊技者に対して遊技媒体の払出しを行わないようになっている。このため、遊技台の前面には遊技媒体の受皿が設置されることはなく、よって、従来の遊技台における受皿が設置されていた領域を有効利用することが考えられる。
【先行技術文献】
【特許文献】
【０００３】
【特許文献１】特開２０１３−０３４７８２号公報
【発明の概要】
【発明が解決しようとする課題】
【０００４】
上記の領域を有効利用する方法として、例えば大型の表示装置を設けることが考えられる。しかしながら、表示装置を遊技台の前面に取り付ける場合には、表示装置が不測に取外されるのを防ぐために、遊技台の扉の裏側からネジ等の固定手段により表示装置を固定する必要がある。このため、表示装置を遊技台に設置したり当該表示装置を交換したりする際に、表示装置の取外しのときだけでなく取付けのときにまでも遊技台の扉をその都度開ける必要があり、作業者にとって手間がかかるという問題があった。この問題は、遊技媒体封入型の遊技機だけでなく、従来型の遊技機において空き領域を有効利用する場合にも生じる問題である。
【０００５】
本発明は、このような点を考慮してなされたものであり、遊技台の扉体の開放を必ずしも伴わなくても表示装置を遊技台の前面に付設することができ、よって表示装置を遊技台に設置したり当該表示装置を交換したりする際における作業者の負担を軽減することができる遊技システムおよび表示ユニットを提供することを目的とする。
【課題を解決するための手段】
【０００６】
本発明の遊技システムは、遊技媒体により遊技を行い、その前面の所定部位を開閉するための扉体が設けられた遊技台と、前記扉体の前面に配置され、前記遊技台に関する情報を表示するための表示装置と、前記表示装置を前記遊技台の前面に取り付けるための係合体と、を備え、前記係合体は、前記遊技台との間で係合を行う第１の係合手段と、前記表示装置との間で係合を行う第２の係合手段とを有することを特徴とする。
【０００７】
このような遊技システムによれば、表示装置を遊技台の前面に取り付けるにあたり係合体を用い、この係合体を遊技台の扉体に予め取り付けておくことにより、遊技台の扉体の開放を必ずしも伴わなくても表示装置を遊技台の前面に付設することができ、よって表示装置を遊技台に設置したり当該表示装置を交換したりする際における作業者の負担を軽減することができる。
【０００８】
本発明の遊技システムにおいては、前記表示装置には、前記遊技台に関する情報を表示する機能と、操作者が指示を入力するための機能とを兼ね備えた表示操作部が設けられていてもよい。
【０００９】
本発明の遊技システムにおいては、前記第１の係合手段が係合状態のまま、前記第２の係合手段の係合状態を解除可能であるとともに、前記第２の係合手段が係合状態のまま、前記第１の係合手段の係合状態を解除可能であってもよい。
【００１０】
本発明の遊技システムにおいては、前記第２の係合手段は、前記表示装置と前記係合体とが所定の位置関係となったときに位置固定を行う固定手段を有しており、前記固定手段は所定の遠隔操作装置による操作を受け付けたときに固定状態を解除可能となっていてもよい。
【００１１】
本発明の遊技システムは、前記遊技台に対応して設けられ、当該遊技台での遊技に関する所定の処理を行う各台装置を更に備え、前記各台装置は、前記表示装置に接続されるとともに、当該表示装置との間で通信を行う通信手段を有していてもよい。
【００１２】
本発明の遊技システムは、前記各台装置と前記表示装置とを接続する接続部を更に備え、前記接続部には、前記扉体を開く時に前記表示装置の移動を可能にする第１の移動手段と、前記遊技台の前面から前記表示装置を退避させる第２の移動手段とが設けられていてもよい。
【００１３】
この場合、前記接続部は、前記各台装置に対する前記表示装置の相対位置を調整するための位置調整手段を有していてもよい。
【００１４】
本発明の表示ユニットは、遊技媒体により遊技を行う遊技台の前面に設けられた表示ユニットであって、前記遊技台の前面の所定部位を開閉するための扉体の前面に配置され、当該遊技台に関する情報を表示するための表示装置と、前記表示装置を前記遊技台の前面に取り付けるための係合体と、を備え、前記係合体は、前記遊技台との間で係合を行う第１の係合手段と、前記表示装置との間で係合を行う第２の係合手段とを有していてもよい。
【００１５】
このような表示ユニットによれば、表示装置を遊技台の前面に取り付けるにあたり係合体を用い、この係合体を遊技台の扉体に予め取り付けておくことにより、遊技台の扉体の開放を必ずしも伴わなくても表示装置を遊技台の前面に付設することができ、よって表示装置を遊技台に設置したり当該表示装置を交換したりする際における作業者の負担を軽減することができる。
【発明の効果】
【００１６】
本発明の遊技システムおよび表示ユニットによれば、遊技台の扉体の開放を必ずしも伴わなくても表示装置を遊技台の前面に付設することができ、よって表示装置を遊技台に設置したり当該表示装置を交換したりする際における作業者の負担を軽減することができる。
【図面の簡単な説明】
【００１７】
【図１Ａ】本発明の第１の実施の形態による遊技システムの構成を示す斜視図である。
【図１Ｂ】図１Ａに示す遊技システムの機能ブロック図である。
【図２】図１Ａに示す遊技システムの分解斜視図である。
【図３】図２に示す遊技システムに対して、係合体を遊技台の下部扉の前面に取り付けたときの状態を示す遊技システムの分解斜視図である。
【図４】図１Ａ等に示す遊技システムにおける遊技台の下部扉および係合体を背面側から見たときの構成を示す分解斜視図である。
【図５】図１Ａ等に示す遊技システムにおける係合体および表示装置を背面側から見たときの構成を示す分解斜視図である。
【図６】図５に示す表示装置の拡大斜視図である。
【図７】本発明の第２の実施の形態による遊技システムの第１の態様の構成を示す側面図である。
【図８】図７に示す第１の態様の遊技システムにおける表示装置を底面側から見たときの構成を示す斜視図である。
【図９】（ａ）〜（ｃ）は、図８に示す表示装置が遊技台の膳台に乗せられたときの状態を示す側面図である。
【図１０】本発明の第２の実施の形態による遊技システムの第２の態様の構成を示す側面図である。
【図１１】図１０に示す第２の態様の遊技システムにおける表示装置を底面側から見たときの構成を示す斜視図である。
【図１２】（ａ）〜（ｃ）は、図１１に示す表示装置が遊技台の膳台に乗せられたときの状態を示す側面図である。
【図１３】本発明の第３の実施の形態による遊技システムの第１の態様の構成を示す正面図である。
【図１４】図１３に示す第１の態様の遊技システムにおける表示装置の本体部分およびカバーの構成を示す分解斜視図である。
【図１５】（ａ）〜（ｃ）は、図１３に示す第１の態様の遊技システムの表示装置の組み立て方を順に示す側面図である。
【図１６】本発明の第３の実施の形態による遊技システムの第２の態様の構成を示す正面図である。
【図１７】本発明の第３の実施の形態による遊技システムの第３の態様における表示装置の構成を示す正面図である。
【図１８】図１７に示す表示装置のＡ−Ａ矢視による縦断面図である。
【図１９】図１８に示す表示装置のトレイを上方から見たときの上面図である。
【図２０】本発明の第３の実施の形態による遊技システムの第４の態様における表示装置の構成を示す正面図である。
【図２１】図２０に示す表示装置のＢ−Ｂ矢視による縦断面図である。
【図２２】図２０に示す表示装置のＣ−Ｃ矢視による縦断面図である。
【図２３】図２０に示す表示装置を右側から左向きに見たときの側面図である。
【図２４】本発明の第３の実施の形態による遊技システムの第５の態様における表示装置の構成を示す正面図である。
【図２５】図２４に示す表示装置のＤ−Ｄ矢視による縦断面図である。
【図２６】図２４に示す表示装置のトレイを上方から見たときの上面図である。
【図２７】本発明の第４の実施の形態による遊技システムの第１の態様の構成を示す上面図である。
【図２８】図２７に示す遊技システムにおいて表示装置および下部扉を一体的に開いたときの状態を示す上面図である。
【図２９】図２７に示す遊技システムにおいて遊技台を入れ替えるために表示装置のみを遊技台の前面から開いたときの状態を示す上面図である。
【図３０】図２７に示す遊技システムにおける表示装置と台間ユニットとを接続する接続部の構成を示す上面図である。
【図３１】図３０に示す遊技システムを前方から見たときの表示装置や接続部の構成を示す正面図である。
【図３２】図３１に示す接続部のＥ−Ｅ矢視による断面図である。
【図３３】図３０に示す接続部の構成の詳細を示す上面図であって、遊技台と台間ユニットとが互いに隣接しているときの状態を示す図である。
【図３４】図３０に示す接続部の構成の詳細を示す上面図であって、遊技台と台間ユニットとが離間しているときのある状態を示す図である。
【図３５】図３０に示す接続部の構成の詳細を示す上面図であって、遊技台と台間ユニットとが離間しているときの他の状態を示す図である。
【図３６】本発明の第４の実施の形態による遊技システムの第２の態様の構成を示す上面図である。
【図３７】図３６に示す遊技システムにおいて表示装置および下部扉を一体的に開いたときの状態を示す上面図である。
【図３８】図３６に示す遊技システムにおいて遊技台を入れ替えるために表示装置のみを遊技台の前面から開いたときの状態を示す上面図である。
【図３９】本発明の第４の実施の形態による遊技システムの第３の態様の構成を示す上面図である。
【図４０】図３９に示す遊技システムにおいて表示装置および下部扉を一体的に開いたときの状態を示す上面図である。
【図４１】図３９に示す遊技システムにおいて遊技台を入れ替えるために表示装置のみを遊技台の前面から開いたときの状態を示す上面図である。
【図４２】本発明の第４の実施の形態による遊技システムの第４の態様の構成を示す斜視図である。
【図４３】図４２に示す遊技システムの上面図である。
【図４４】図４３に示す遊技システムにおいて表示装置および下部扉を一体的に開いたときの状態を示す上面図である。
【図４５】図４３に示す遊技システムにおいて遊技台を入れ替えるために表示装置のみを遊技台の前面から開いたときの状態を示す上面図である。
【図４６】図４３に示す遊技システムにおいて遊技台と台間ユニットとが離間しているときの状態を示す上面図である。
【図４７】図４６に示すように遊技台と台間ユニットとが離間しているときに表示装置および下部扉を一体的に開いたときの状態を示す上面図である。
【発明を実施するための形態】
【００１８】
〔第１の実施の形態〕
以下、本発明の第１の実施の形態について説明する。図１Ａ乃至図６は、第１の実施の形態による遊技システムを示す図である。このうち、図１Ａは、第１の実施の形態による遊技システムの構成を示す斜視図であり、図１Ｂは、図１Ａに示す遊技システムの機能ブロック図である。また、図２は、図１に示す遊技システムの分解斜視図であり、図３は、図２に示す遊技システムに対して、係合体を遊技台の下部扉の前面に取り付けたときの状態を示す遊技システムの分解斜視図である。また、図４は、図１Ａ等に示す遊技システムにおける遊技台の下部扉および係合体を背面側から見たときの構成を示す分解斜視図であり、図５は、図１Ａ等に示す遊技システムにおける係合体および表示装置を背面側から見たときの構成を示す分解斜視図であり、図６は、図５に示す表示装置の拡大斜視図である。
【００１９】
図１Ａ等に示すように、本実施の形態による遊技システム１０は、遊技台１２と、この遊技台１２の前面に設けられた表示装置２０と、遊技台１２の左隣に配置された各台装置としての台間ユニット５０とを備えている。ここで、遊技台１２は、遊技者がハンドル等の発射装置２０８（図１Ｂ参照）を用いて遊技媒体（具体的には、遊技玉）を盤面に打ち出して遊技するが、遊技媒体を当該遊技台１２内で循環させ、遊技者に対して遊技媒体の払出しを行わないような遊技媒体封入型のものとなっている。このため、遊技台１２の前面には遊技媒体の受皿が設置されることはなく、代わりに、遊技台１２に関する情報を表示するための表示装置２０が遊技台１２の前面に設けられており、このことにより従来の遊技台における受皿が設置されていた領域を有効利用するようになっている。
【００２０】
図１Ａに示すように、遊技台１２の前面には、透明または半透明の部材から形成され、盤面に打ち出された遊技媒体の動きを遊技者が見ることができるような上部扉１４、およびこの上部扉１４の下方に位置し、遊技者により把持される発射装置２０８（図１Ｂ参照）や表示装置２０が取り付けられた下部扉１６がそれぞれ設けられている。これらの上部扉１４や下部扉１６はそれぞれ遊技台１２の前面の所定部位を開閉するようになっている。
【００２１】
表示装置２０には、遊技台１２に関する情報を表示する機能と、操作者が指示を入力するための機能とを兼ね備えた表示操作部として大型のＬＣＤタッチパネルが設けられている。このことにより、操作者は表示装置２０のＬＣＤタッチパネルに表示された情報を視認することにより遊技台１２に関する情報（例えば、遊技媒体の個数等）を確認することができるとともに、当該ＬＣＤタッチパネルにより遊技台１２に対して様々な指令（例えば、遊技媒体の移行指令）を与えることができるようになる。
【００２２】
ここで、表示装置２０は遊技台１２の前面に取り付けられているが、この表示装置２０と遊技台１２との間で直接的に通信が行われるようになっていない。代わりに、表示装置２０の側部には、上方から見てＬ字形状となっている接続部５２が設けられており、この接続部５２により表示装置２０と台間ユニット５０とが接続されるようになっている。また、台間ユニット５０は、表示装置２０との間で通信を行う通信手段を有しており、接続部５２内には表示装置２０と台間ユニット５０との間で通信を行うための通信ケーブル（図１Ａ乃至図６では図示せず）が設けられている。また、図６に示すように、接続部５２は複数（図６に示す例では２つ）の部材５２ｍ、５２ｎから構成されており、部材５２ｎは図６の矢印に示すように移動可能となるよう部材５２ｍに嵌め込まれるようになっており、このことにより接続部５２は遊技台１２の幅方向に沿って伸縮可能となっている。このため、遊技台１２と台間ユニット５０との間に化粧板や宣伝用のポップ板等が挟まれることによりこれらの遊技台１２および台間ユニット５０の間に任意の大きさの隙間が形成された場合でも、接続部５２を伸縮させることによりこの遊技台１２の前面に設けられた表示装置２０と台間ユニット５０とを接続することができるようになる。
【００２３】
また、図１Ｂは、図１Ａに示す遊技システム１０の機能ブロック図である。この図１Ｂを用いて、遊技システム１０の遊技台１２、台間ユニット５０、表示装置２０等の制御関係について以下に説明する。
【００２４】
図１Ｂに示すように、遊技台１２には主制御部２００が設けられており、この主制御部２００には演出制御部２０２、遊技媒体制御部２０４、通信制御部２０６、発射装置２０８、計数操作部２１０、遊技媒体表示部２１２がそれぞれ通信可能に接続されている。ここで、主制御部２００は、遊技台１２の盤面の所定部位への遊技媒体の入球を検出したときに乱数を取得して抽選を行うようになっている。また、主制御部２００は、遊技台１２の盤面の所定部位への遊技媒体の入球を検出したときにその部位に応じた遊技媒体の数を賞として遊技媒体制御部２０４のメモリに加算するようになっている。また、主制御部２００は、遊技台１２の各部の状態（上部扉１４や下部扉１６の開放状態、センサの異常状態、通常状態、確率変動状態、大当たり状態等）を取得して通信制御部２０６に入力するようになっている。
【００２５】
演出制御部２０２は、主制御部２００における抽選結果に応じて、盤面に設けられた液晶表示器（図示せず）における飾り図柄の停止態様や停止に到るまでの演出等を抽選して決定するようになっている。また、遊技媒体制御部２０４は、遊技台１２において遊技客が保有する遊技媒体の数である遊技玉データを記憶するようになっている。この遊技媒体制御部２０４は、遊技媒体の発射に応じて遊技玉データを減算したり、入賞に応じて遊技玉データを加算したりするようになっている。また、遊技玉データの現在値は遊技媒体制御部２０４から通信制御部２０６に入力されるようになっている。
【００２６】
通信制御部２０６はセキュリティチップ（ブラックボックス化されたチップ）を有している。この通信制御部２０６は、主制御部２００との間で認証を行い、認証がＯＫとなったことを条件に、台間ユニット５０との通信を許可するようになっている。また、台間ユニット５０から遊技台１２の動作を許可する旨の信号を受けて遊技台１２の動作を許可するようになっている。また、通信制御部２０６は、台間ユニット５０との通信を許可した後は、台間ユニット５０との間で所定の暗号化通信を用いて通信を行う。また、通信制御部２０６は、遊技台１２から受信した信号を復号化して主制御部２００に中継するようになっている。また、通信制御部２０６は、入力された遊技玉データの現在値および遊技台１２の状態を示す信号を、一定時間（発射装置２０８による遊技媒体の発射頻度よりも頻度が高い時間、例えば２００ｍｓｅｃ）ごとに台間ユニット５０に通知するようになっている。ここで、後述する計数操作のときと異なり、このときに遊技玉データのクリアは行わない。
【００２７】
発射装置２０８は、遊技玉データや遊技台１２の状態がＯＫであれば遊技者の操作に応じて遊技媒体の発射動作を行うようになっている。ここで、発射された遊技媒体が検出されると遊技玉データが減算される。また、計数操作部２１０は、遊技者の操作が検出されると、一回当たり一定の数の遊技玉データを台間ユニット５０に送信し、送信した遊技玉データに相当する遊技玉データを無効化（クリア、論理削除等）を行う。また、計数操作部２１０において一定時間以上の操作が検出されると、この計数操作部２１０は、押されている時間あたり一定の数の遊技玉データを台間ユニット５０に送信する制御を、操作が検出されなくなるまで続行する。また、遊技媒体表示部２１２は、遊技媒体制御部２０４に記憶されている遊技玉データを表示するようになっている。
【００２８】
また、図１Ｂに示すように、台間ユニット５０には主制御部３００が設けられており、この主制御部３００にはカードリーダライタ３０２、紙幣識別部３０４、記憶部３０６、管理装置Ｉ／Ｆ（インターフェース）３０８、通信制御部３１０、表示装置Ｉ／Ｆ３１２がそれぞれ通信可能に接続されている。ここで、主制御部３００は、台間ユニット５０全体を制御するようになっている。また、主制御部３００は、後述する管理装置Ｉ／Ｆ３０８を介して上位の管理装置５００と通信し、遊技客が所有する会員カード等のカードに関連付けられた貯玉、持玉の数を取得して記憶部３０６に記憶させるようになっている。また、主制御部３００は、上位の管理装置５００経由で遊技台１２の鍵センターから遊技台１２の認証鍵を取得して記憶部３０６に記憶させるようになっている。また、主制御部３００は、この主制御部３００が設けられた台間ユニット５０または遊技台１２の認証がＮＧである場合には、その旨を示す警告表示を表示装置２０等に表示させるようになっている。また、主制御部３００は、この主制御部３００が設けられた台間ユニット５０に接続されている遊技台１２や表示装置２０のＩＤを記憶部３０６に記憶させるようになっている。また、主制御部３００は表示装置２０に対して表示内容の指示を行うようになっている。
【００２９】
カードリーダライタ３０２は、遊技客が所有する会員カード等のカードが台間ユニット５０のカード挿入口に差し込まれたときに、このカードから識別情報（カードＩＤ等）を読み取るようになっている。また、紙幣識別部３０４は、遊技客によって紙幣が台間ユニット５０の紙幣挿入口から機体内に挿入されたときに、この挿入された紙幣の識別を行うようになっている。識別された紙幣は台間ユニット５０の背面に設けられた搬送装置（図示せず）に向けて排出されるか、台間ユニット５０の機体内に設けられた収納部（図示せず）に収納されるようになる。
【００３０】
記憶部３０６は、遊技台１２の通信制御部２０６から受信した遊技台１２の状態、遊技玉データの現在値等を記憶するようになっている。また、管理装置Ｉ／Ｆ３０８は、上位の管理装置５００との間で通信を行うようになっており、表示装置Ｉ／Ｆ３１２は表示装置２０との間で通信を行うようになっている。
【００３１】
通信制御部３１０はセキュリティチップ（ブラックボックス化されたチップ）を有している。この通信制御部３１０は、主制御部３００との間で認証を行い、認証がＯＫとなったことを条件に、台間ユニット５０の起動を許可するようになっている。また、通信制御部３１０は、主制御部３００との間での認証がＯＫとなったことを条件に遊技台１２との通信を許可するようになっている。また、通信制御部３１０は、遊技台１２からＩＤを取得し、ＩＤがＯＫであるとともに（すなわち、上位の管理装置５００から取得したＯＫなＩＤと一致するとともに）、主制御部３００経由で取得した遊技台１２の認証鍵が正当であれば遊技台１２の動作を許可するようになっている。また、通信制御部３１０は、遊技台１２との通信を許可した後は、遊技台１２との間で所定の暗号化通信を用いて通信を行う。また、通信制御部３１０は、遊技台１２から受信した信号を復号化して主制御部３００に中継するようになっている。
【００３２】
また、図１Ｂに示すように、表示装置２０には表示制御部４００が設けられており、この表示制御部４００には記憶部４０２および台間ユニットＩ／Ｆ４０４がそれぞれ通信可能に接続されている。表示制御部４００は、表示操作部としての大型のＬＣＤタッチパネルの表示を制御するようになっている。また、表示制御部４００は、台間ユニットＩ／Ｆ４０４を介して台間ユニット５０の主制御部３００と通信可能となっている。ここで、表示制御部４００は、台間ユニット５０の記憶部３０６に記憶された遊技台１２の現在の状態、現在の遊技媒体の数に関する表示、貯玉数、持玉数、プリペイドカードの残高等のカードに関する情報の表示、遊技台１２の状態履歴（大当たり回数、抽選回数、確率変動回数）等をＬＣＤタッチパネルに表示させるようになっている。
【００３３】
記憶部４０２は、この記憶部４０２が設けられた表示装置２０のＩＤを記憶するようになっている。また、記憶部４０２は、ＬＣＤタッチパネルへの表示データ情報を記憶するようになっている。また、記憶部４０２は、所定期間（３日程度）の遊技台１２の状態データ（大当り回数データ、大当り抽選回数、スランプグラフ（遊技機に打込んだ玉と遊技機が加算した玉の差分値を時系列にグラフ化等したもの）データ等）を記憶するようになっている。また、台間ユニットＩ／Ｆ４０４は、台間ユニット５０と表示装置２０とが係合した状態で、台間ユニット５０との通信を行うようになっている。
【００３４】
また、本実施の形態では、表示装置２０は、台間ユニット５０と通信ができるようになった状態で、当該台間ユニット５０との間でＩＤ確認を行い、前回にＩＤ確認を行ったときの表示装置２０と台間ユニット５０との組み合わせ（すなわち、前回の相手方の台間ユニット５０のＩＤ）と異なる場合には、それに応じた制御を行うようになっている。例えば、前回にＩＤ確認を行ったときの表示装置２０と台間ユニット５０との組み合わせと異なる場合には、表示装置２０の記憶部４０２に記憶されている遊技台１２の状態データの初期化を行う。この際に、上位の管理装置５００に遊技台１２の状態データが登録されていることを確認した上で遊技台１２の状態データの初期化を行ってもよい。また、台間ユニット５０、台間ユニット５０を設置する設置枠（図示せず）、表示装置２０は、それぞれ遊技台１２の状態データを記憶する記憶部を保持するとともに、接続時に相互にＩＤの確認を行い、一致しない場合には、所定の優先順位（例えば、設置枠、台間ユニット５０、表示装置２０の順に優先とする）に従って、記憶部の状態データの整合性の保持を行ってもよい。例えば、設置枠と台間ユニット５０のＩＤが一致するが、これらと表示装置２０のＩＤが異なる場合には、台間ユニット５０が記憶している状態データを用いて表示装置２０の記憶部が記憶している状態データを更新する。また、設置枠と台間ユニット５０のＩＤが一致せず、表示装置２０のＩＤと台間ユニット５０のＩＤが一致している場合には、設置枠５０の状態データを用いて台間ユニット５０が記憶している状態データと表示装置２０が記憶している状態データとを更新する。この場合のＩＤは、台間ユニット５０を識別するための号機番号であってもよいし、遊技台１２を識別するための台番号であってもよく、台毎に設けられる装置を他の台に設けられる装置と識別可能なものであれば特に限定されない。このような制御によって、台間ユニット５０あるいは表示装置２０が交換された場合にも、正しい遊技台１２の状態データを表示することができる。上記のＩＤ照合は、台間ユニット５０、表示装置２０のいずれが主体となって行っても良い。
【００３５】
また、台間ユニット５０の通信制御部３１０および遊技台１２の通信制御部２０６は、通信する番号に連番（例えば、０〜２００の範囲内での循環する番号）の通番処理（すなわち、ナンバリング処理）を行い、この通番を用いてお互いのデータの整合性を保持する制御を行うようになっている。この際に、台間ユニット５０の通信制御部３１０および遊技台１２の通信制御部２０６は、お互いの番号が進んでいるか、一致しているか等の比較を行うことによって自身が受信しているデータが正しいかどうかを確認するようになっている。
【００３６】
次に、表示装置２０を下部扉１６に取り付ける方法について図２乃至図６を用いて以下に説明する。
【００３７】
表示装置２０は図２等に示すような樹脂等から形成された板状の係合体３０（接続アダプタ）により遊技台１２の下部扉１６に取り付けられるようになっている。また、表示装置２０は、係合体３０（接続アダプタ）が無い場合でも、遊技台１２の下部扉１６に取り付けられるようになっている。ここで、本実施の形態では、表示装置２０および係合体３０により、遊技台１２の前面に設けられた表示ユニットが構成されている。また、係合体３０は、遊技台１２との間で係合を行う第１の係合手段３２と、表示装置２０との間で係合を行う第２の係合手段３６とを有している。
【００３８】
第１の係合手段３２について図４等を用いて説明する。図４に示すように、係合体３０には１または複数（図４に示す例では２つ）のネジ穴３３が設けられており、また、下部扉１６にも、係合体３０に設けられたネジ穴３３に対応するよう１または複数（図４に示す例では２つ）のネジ穴３４が設けられている。そして、下部扉１６を開いた状態で、この下部扉１６の裏側から、係合体３０に設けられたネジ穴３３と下部扉１６に設けられたネジ穴３４とが位置合わせされるよう、１または複数（図４に示す例では２つ）のネジ３５が操作者によって手動でネジ穴３４およびネジ穴３５に嵌合されることにより、係合体３０が遊技台１２の下部扉１６の前面に取り付けられるようになる。
【００３９】
第２の係合手段３６は、第１の係合手段３２と異なり、下部扉１６を開かなくても表示装置２０を係合体３０に係合することができるようになっている。また、第１の係合手段３２が係合状態のまま、第２の係合手段３６の係合状態を解除することができるとともに、第２の係合手段３６が係合状態のまま、第１の係合手段３２の係合状態を解除することができるようになっている。すなわち、第１の係合手段３２および第２の係合手段３６は、互いに他の係合手段から独立して前面扉１６や表示装置２０に対する係合を行うようになっている。このような第２の係合手段３６の詳細について図２、図５および図６を用いて説明する。
【００４０】
図２に示すように、係合体３０における表示装置２０側の面には略直方体形状の突起部３７が設けられており、この突起部３７の側面には１または複数（図２に示す例では２つ）の穴３８が形成されている。また、図５および図６に示すように、表示装置２０の背面には、係合体３０に設けられた突起部３７が挿入可能な凹部２２が形成されており、この凹部２２には、突起部３７に形成された穴３８に対応して１または複数（図５および図６に示す例では２つ）のピン２４が設けられている。ここで、ピン２４は、凹部２２に進出する進出位置と、凹部２２から退避した退避位置との間で移動可能となっており、当該ピン２４に何ら力が加えられていないときにはこのピン２４はバネ等の図示しない付勢手段によって凹部２２に進出する進出位置に位置するようになっている。また、進出位置から退避位置へのピン２４の移動は図示しないソレノイド等のピン移動機構により行われるようになっており、このピン移動機構の動作はリモコン等の所定の遠隔操作装置による操作によって制御されるようになっている。そして、係合体３０の突起部３７が表示装置２０の凹部２２に挿入されたときに、ピン２４が付勢手段による力に抗して進出位置から退避位置に押し込まれた後に再び進出位置に戻ることにより当該ピン２４が突起部３７の穴３８内に進出し、このことにより表示装置２０が係合体３０に係合されるようになる。一方、係合体３０から表示装置２０を取り外す際には、リモコン等の所定の遠隔操作装置による操作を受け付けることによりソレノイド等のピン移動機構によってピン２４が進出位置から退避位置に移動し、このことにより係合体３０の突起部３７を表示装置２０の凹部２２から取り外すことができるようになる。
【００４１】
また、図６に示すように、表示装置２０の背面にはレバー２６が設けられており、このレバー２６により操作者が手動でピン２４を進出位置から退避位置に移動させることができるようになっている。このことにより、係合体３０から表示装置２０を取り外す際に、ソレノイド等のピン移動機構の動作の不具合によってリモコン等の所定の遠隔操作装置による操作でもピン２４が進出位置から退避位置に移動しなかった場合に、操作者はレバー２６により手動でピン２４を進出位置から退避位置に移動させるようになる。
【００４２】
また、台間ユニット５０と表示装置２０との間の接続部５２の取り外しの信号を台間ユニット５０や表示装置２０が受けると、ソレノイド等のピン移動機構によってピン２４が進出位置から退避位置に移動し、このことにより係合体３０の突起部３７を表示装置２０の凹部２２から取り外すことができるようになっていてもよい。具体的には、遠隔操作装置（例えば、リモコン）の操作を台間ユニット５０に設けられた所定の受光部で検出し、リモコンから受信したIDが正規のIDであることを認証したことを条件に、この取外しが可能になる。
【００４３】
なお、係合体３０と表示装置２０との間で係合を行う第２の係合手段３６は、リモコン等の所定の遠隔操作装置による操作によって係合体３０と表示装置２０との間の係合状態を制御するものに限定されることはない。第２の係合手段３６は、操作者が手動で係合体３０と表示装置２０との間の係合を行うことができるようなものとなっていてもよい。具体的には、表示装置２０の背面には１または複数の爪部材（図示せず）が設けられるとともに、係合体３０における表示装置２０側の面には爪部材が引っ掛かるような被係合部材が設けられ、操作者によって手動で表示装置２０の爪部材を係合体３０の被係合部材に引っ掛けて固定することにより表示装置２０が係合体３０に係合されるようになっていてもよい。この場合には、係合体３０から表示装置２０を取り外す際には、操作者が手動で係合体３０の被係合部材から表示装置２０の爪部材を取り外すようになる。
【００４４】
以上のような構成からなる本実施の形態の遊技システム１０によれば、表示装置２０を遊技台１２の前面に取り付けるための係合体３０が設けられており、この係合体３０は、遊技台１２の下部扉１６との間で係合を行う第１の係合手段３２と、表示装置２０との間で係合を行う第２の係合手段３６とを有している。このように、表示装置２０を遊技台１２の前面に取り付けるにあたり係合体３０を用い、この係合体３０を予め下部扉１６に取り付けておくことにより、遊技台１２の下部扉１６の開放を必ずしも伴わなくても表示装置２０を遊技台１２の前面に付設することができ、よって表示装置２０を遊技台１２に設置したり当該表示装置２０を交換したりする際における作業者の負担を軽減することができる。
【００４５】
〔第２の実施の形態〕
以下、本発明の第２の実施の形態について説明する。図７乃至図１２は、第２の実施の形態による遊技システムを示す図である。このうち、図７は、第２の実施の形態による遊技システムの第１の態様の構成を示す側面図であり、図８は、図７に示す第１の態様の遊技システムにおける表示装置を底面側から見たときの構成を示す斜視図であり、図９（ａ）〜（ｃ）は、図８に示す表示装置が遊技台の膳台に乗せられたときの状態を示す側面図である。また、図１０は、第２の実施の形態による遊技システムの第２の態様の構成を示す側面図であり、図１１は、図１０に示す第２の態様の遊技システムにおける表示装置を底面側から見たときの構成を示す斜視図であり、図１２（ａ）〜（ｃ）は、図１１に示す表示装置が遊技台の膳台に乗せられたときの状態を示す側面図である。なお、図９（ａ）や図１２（ａ）は、遊技台の下部扉を閉じた状態から開く際の表示装置やこの表示装置の下面に設けられた揺動体の状態を示す図であり、図９（ｂ）や図１２（ｂ）は、遊技台の下部扉を開いた状態から閉じる際の表示装置や揺動体の状態を示す図であり、図９（ｃ）や図１２（ｃ）は、遊技台の下部扉を完全に閉じているときの表示装置や揺動体の状態を示す図である。
【００４６】
図７等に示すように、一般的な遊技台１２の前面下部には、下部扉１６の下方位置から遊技者側に向かって前方に突出するような膳板１８が設けられており、遊技媒体封入型ではない従来の遊技台１２では、この膳板１８には遊技玉等の遊技媒体の収納ケースや遊技者の備品（例えば、携帯電話やタバコ箱等）が載置されるようになっていた。これに対し、遊技媒体封入型の遊技台１２では、下部扉１６の前面に表示装置２０が取り付けられるようになるが、このような遊技媒体封入型の遊技台１２でも遊技者の備品の載置スペースとして膳板１８が残される場合があり、このような場合には、表示装置２０と膳板１８との間にわずかな隙間が形成されるようになる。
【００４７】
しかしながら、遊技媒体封入型の遊技台１２において、表示装置２０と膳板１８との間に隙間が形成されており、当該表示装置２０が下方から支持されていない場合には、この表示装置２０は上方から与えられる衝撃や負荷に対して脆弱であり、下部扉１６と表示装置２０との間の結合部分が損傷してしまうおそれがあるという問題があった。
【００４８】
これに対し、第２の実施の形態の遊技システム１０では、下方に重心があり自重で直立しようとする揺動体を表示装置２０と膳板１８との間に挟むことにより、当該揺動体によって表示装置２０を下方から支持し、このことにより上方から与えられる衝撃や負荷に対する表示装置２０の強度を大きくするようになっている。
【００４９】
具体的に説明すると、第２の実施の形態の遊技システム１０における第１の態様では、図７乃至図９に示すように、表示装置２０の下面に、下方に重心があり自重で直立しようとする揺動体としてローラ型の第１の揺動体６０が揺動可能に設けられている。より詳細には、図９に示すように、第１の揺動体６０は、ローラ６１と、このローラ６１を回転自在に支持する支持部材６２とを有しており、支持部材６２は表示装置２０に対して軸６３を中心として揺動するよう取り付けられている。図９（ｃ）は、下部扉１６に表示装置２０が取り付けられた後、この下部扉１６が完全に閉められているときの状態を示す図であるが、この場合には、支持部材６２はローラ６１の自重により軸６３から真下に延びるようになっており、この支持部材６２により回転自在に支持されたローラ６１は膳台１８の上面に当接している。このことにより、表示装置２０に対して上方から衝撃や負荷が与えられても、当該表示装置２０はローラ６１等からなる第１の揺動体６０により下方から支持されるため、この表示装置２０は上方からの衝撃等や負荷に耐えることができるようになる。
【００５０】
また、図９に示すように、膳台１８には、当該膳台１８上にある遊技者の備品等がこの膳台１８から落下しないようにするための段差部１８ａが設けられている。ここで、図９（ａ）に示すように、下部扉１６を閉じた状態から開くときには、この下部扉１６の前面に設けられた表示装置２０は下部扉１６と一体的に図９（ａ）における左方向に移動するようになるが、この際に、ローラ６１を支持する支持部材６２が軸６３を中心として揺動することにより、ローラ６１の高さレベルを変更することによって当該ローラ６１が膳台１８の段差部１８ａを乗り越えることができるようになる。
【００５１】
また、図９（ｂ）に示すように、下部扉１６を開いた状態から閉じるときにも、この下部扉１６の前面に設けられた表示装置２０は下部扉１６と一体的に図９（ｂ）における右方向に移動するようになるが、この際に、ローラ６１を支持する支持部材６２が軸６３を中心として揺動することにより、ローラ６１の高さレベルを変更することによって当該ローラ６１を膳台１８の段差部１８ａに乗せることができるようになる。
【００５２】
なお、第２の実施の形態では、表示装置２０の下面に設けられる揺動体は図７乃至図９に示すようなものに限定されることはない。表示装置２０の下面に設けられる揺動体の他の例について図１０乃至図１２を用いて説明する。
【００５３】
第２の実施の形態の遊技システム１０における第２の態様では、図１０乃至図１２に示すように、表示装置２０の下面に、下方に重心があり自重で直立しようとする揺動体として振り子型の第２の揺動体６４が揺動可能に設けられている。より詳細には、図１２に示すように、第２の揺動体６４は、楕円形状の振り子６５と、この振り子６５の中心から外れた箇所に設けられた軸６６（偏心軸）とを有しており、当該軸６６は表示装置２０の下縁部に取り付けられた支持部材６７に対して回転自在に設けられている。そして、軸６６が回転することにより、当該軸６６から垂れ下がった振り子６５が揺動するようになる。図１２（ｃ）は、下部扉１６に表示装置２０が取り付けられた後、この下部扉１６が完全に閉められているときの状態を示す図であるが、この場合には、振り子６５は自重により軸６６から真下に延びるようになっており、軸６６から垂れ下がった振り子６５の下縁部は膳台１８の上面に当接している。このことにより、表示装置２０に対して上方から衝撃や負荷が与えられても、当該表示装置２０は振り子６５等からなる第２の揺動体６４により下方から支持されるため、この表示装置２０は上方からの衝撃等や負荷に耐えることができるようになる。
【００５４】
また、図１２に示すように、膳台１８には、当該膳台１８上にある遊技者の備品等がこの膳台１８から落下しないようにするための段差部１８ａが設けられている。ここで、図１２（ａ）に示すように、下部扉１６を閉じた状態から開くときには、この下部扉１６の前面に設けられた表示装置２０は下部扉１６と一体的に図１２（ａ）における左方向に移動するようになるが、この際に、振り子６５が支持部材６７に対して軸６６を中心として揺動することにより、振り子６５の下縁部の高さレベルを変更することによって当該振り子６５が膳台１８の段差部１８ａを乗り越えることができるようになる。
【００５５】
また、図１２（ｂ）に示すように、下部扉１６を開いた状態から閉じるときにも、この下部扉１６の前面に設けられた表示装置２０は下部扉１６と一体的に図１２（ｂ）における右方向に移動するようになるが、この際に、振り子６５が支持部材６７に対して軸６６を中心として揺動することにより、振り子６５の下縁部の高さレベルを変更することによって当該振り子６５を膳台１８の段差部１８ａに乗せることができるようになる。
【００５６】
なお、図７乃至図１２に示すような遊技システム１０の構成では、表示装置２０の下面に第１の揺動体６０や第２の揺動体６４が１つしか設けられていないが、表示装置２０の下面に第１の揺動体６０や第２の揺動体６４が複数設けられるようになっていてもよい。
【００５７】
また、第１の揺動体６０や第２の揺動体６４が表示装置２０の下面に設けられる代わりに、表示装置２０を下方から支持する支持体が膳台１８の上面に設けられ、この支持体により表示装置２０が下方から支持されるようになっていてもよい。
【００５８】
また、第１の揺動体６０や第２の揺動体６４の揺動を規制する揺動体規制部（図示せず）が設けられていてもよい。この揺動体規制部は、遊技台１２の下部扉１６が閉じているときには第１の揺動体６０や第２の揺動体６４の揺動を規制してこれらの第１の揺動体６０や第２の揺動体６４が揺動しないようにする。一方、台間ユニット５０や表示装置２０が遊技台１２の下部扉１６の開放の指示信号を受けると、揺動体規制部は第１の揺動体６０や第２の揺動体６４の揺動の規制を解除してこれらの第１の揺動体６０や第２の揺動体６４を揺動可能とする。また、揺動体規制部は、台間ユニット５０と表示装置２０との間の接続部５２の取り外しの信号を台間ユニット５０や表示装置２０が受けると、第１の揺動体６０や第２の揺動体６４の揺動の規制を解除してこれらの第１の揺動体６０や第２の揺動体６４を揺動可能とするようになっていてもよい。
【００５９】
〔第３の実施の形態〕
以下、本発明の第３の実施の形態について説明する。図１３乃至図２６は、第３の実施の形態による遊技システムを示す図である。このうち、図１３乃至図１５は、第３の実施の形態による遊技システムの第１の態様の構成を示す図であり、図１６は、第３の実施の形態による遊技システムの第２の態様の構成を示す正面図である。また、図１７乃至図１９は、第３の実施の形態による遊技システムの第３の態様の構成を示す正面図であり、図２０乃至図２３は、第３の実施の形態による遊技システムの第４の態様の構成を示す図である。また、図２４乃至図２６は、第３の実施の形態による遊技システムの第５の態様にの構成を示す図である。
【００６０】
まず、第３の実施の形態による遊技システムの第１の態様の構成について説明する。図１４は、図１３に示す第１の態様の遊技システム１０における表示装置２０の本体部分２７およびカバー２８の構成を示す分解斜視図であり、図１５（ａ）〜（ｃ）は、図１３に示す第３の実施の形態の第１の態様の遊技システム１０の表示装置２０の組み立て方を順に示す側面図である。図１４および図１５に示すように、本実施の形態による表示装置２０は、大型のＬＣＤタッチパネル２７ｂが内部に設けられた本体部分２７にカバー２８を被せ、このカバー２８に保護シート２９を差し込むことにより形成されるようになっている。
【００６１】
図１４に示すように、カバー２８の下縁部には例えば４つのカバー位置決め用のツメ２８ａが形成されており、また、本体部分２７の下縁部には、カバー２８の各ツメ２８ａがそれぞれ係合される例えば４つの被係合部分２７ａが形成されている。
【００６２】
また、本実施の形態では、第１の実施の形態と異なり、表示装置２０はネジ等により遊技台１２の下部扉１６の前面に直接取り付けられるようになっている。具体的には、図１４に示すように、本体部分２７の背面には２つのネジ穴２７ｃが形成されており、下部扉１６の前面にも本体部分２７の各ネジ穴２７ｃに対応して２つのネジ穴（図示せず）が形成されている。そして、下部扉１６を開けた後、この下部扉１６の裏側から２本のネジが下部扉１６の各ネジ穴および本体部分２７の各ネジ穴２７ｃに通されることにより表示装置２０が遊技台１２の下部扉１６の前面に取り付けられるようになる。ここで、カバー２８の背面には、本体部分２７の各ネジ穴２７ｃに嵌合されるネジが通るためのネジ用開口２８ｂが形成されている。また、図１４に示すように、カバー２８の側面には、本体部分２０と台間ユニット５０とを接続する接続部５２が通るための接続部用開口２８ｃが形成されている。
【００６３】
また、本実施の形態では、遊技客は表示装置２０の本体部分２７に設けられたＬＣＤタッチパネル２７ｂにより様々な操作を行うが、この際にＬＣＤタッチパネル２７ｂに対してタバコ箱の押しつけや飲料缶こぼし、殴打等のいたずらが行われることが想定される。このため、本体部分２７に設けられたＬＣＤタッチパネル２７ｂに保護シート２９を被せ、ＬＣＤタッチパネル２７ｂを損傷させないようになっている。より詳細には、図１５（ｃ）に示すように、本体部分２７に被せられるカバー２８には保護シート用スリット２８ｄが形成されており、この保護シート用スリット２８ｄに対して保護シート２９を斜め上方から差し込むことができるようにする。このことにより、保護シート２９が損傷した場合でも遊技施設の店員はこの保護シート２９を容易に取り替えることができるようになる。
【００６４】
また、前述したように、図１４および図１５に示すような態様ではカバー２８を本体部分２７の上方から被せるような構成となっているため、遊技客が表示装置２０で飲料缶をこぼしてカバー２８に付着した場合でも、遊技施設の店員はこのカバー２８を容易に取り替えることができるようになる。
【００６５】
また、第３の実施の形態の遊技システム１０における第２の態様では、図１４および図１５に示すようなカバー２８について、様々な色のバリエーションを有する複数の種類のものを準備しておき、遊技台１２の筐体の色に合わせてカバー２８を取り替えることができるようになっている。具体的に説明すると、ＬＣＤタッチパネル２７ｂが設けられた本体部分２７に対して遊技台１２の筐体の色と同一色または同系色のカバー２８を上方から被せることにより、図１６に示すように、遊技台１２の上部扉１４や下部扉１６等の筐体の色と、表示装置２０の色とが同一色または同系色となるようにする（図１６において、同一色または同系色となるような領域を斜線で示している）。このように、遊技システム１０において遊技台１２の前面に表示装置２０を取り付ける際には遊技台１２と表示装置２０との一体感が求められるが、本実施の形態では、様々な色のバリエーションを有する複数の種類のカバー２８を準備しておくことにより、カバー２８を取り替えるという簡単な動作で遊技台１２と表示装置２０との一体感を出すことができるようになる。
【００６６】
次に、第３の実施の形態の遊技システム１０における第３の態様に係る表示装置８０について図１７乃至図１９を用いて説明する。なお、図１７は、第３の実施の形態による遊技システム１０の第３の態様における表示装置８０の構成を示す正面図であり、図１８は、図１７に示す表示装置８０のＡ−Ａ矢視による縦断面図であり、図１９は、図１８に示す表示装置８０のトレイ８４を上方から見たときの上面図である。
【００６７】
遊技媒体封入型の遊技台１２では、遊技玉等の遊技媒体は遊技台内で循環させ、遊技者に対して遊技媒体の払出しを行わないようになっているため、遊技媒体の収納ケースが必要なくなり、この収納ケースが載置される膳板１８（図７等参照）が設置されなくなる場合がある。しかしながら、膳板１８を設置しない場合には、遊技客が遊技台１２で遊技を行う際にこの遊技客の携帯電話やタバコ箱等の備品を置くスペースがなくなってしまうという問題がある。このため、図１７乃至図１９に示すような表示装置８０では、傾斜した前面部分に大型のＬＣＤタッチパネル８２が設けられるとともにこのＬＣＤタッチパネル８２の上方にトレイ８４が設けられており、遊技客はこのトレイ８４にスマートフォン等の携帯電話やタバコ箱、飲料缶等の備品８８を載置することができるようになっている。また、トレイ８４における備品８８の載置面の下方には、携帯電話に記憶された情報を読み取ったりこの携帯電話に様々な情報を送信したりするための携帯電話認証用リーダライタ（Ｒ／Ｗ）８６が内蔵されている。このことにより、トレイ８４に携帯電話が載置されると、このトレイ８４に載置された携帯電話に記憶された情報が携帯電話認証用リーダライタ８６により読み取られたり、遊技台１２の様々な情報（例えば、遊技媒体数等）が携帯電話認証用リーダライタ８６により携帯電話に送信されたりするようになる。
【００６８】
また、図１９に示すように、トレイ８４にはタッチセンサ８４ａが設けられており、当該トレイ８４に携帯電話等の備品８８が載置されるとこのことがタッチセンサ８４ａにより検知されるようになっている。このようなタッチセンサ８４ａがトレイ８４に設けられていることにより、遊技客が遊技台１２での遊技を終えた後、携帯電話等の備品８８をトレイ８４に置き忘れることを防止することができる。具体的には、トレイ８４に携帯電話等の備品８８が置き忘れていることがタッチセンサ８４ａにより検知されると、この検知情報が遊技施設の店員に送信される。このことにより、遊技台１２での遊技を終えた遊技客が遊技施設内の景品カウンターに行ったときに、店員はこの遊技客に対してトレイ８４に置き忘れた備品８８を返却することができるようになる。また、遊技台１２での遊技を終えた遊技客が遊技施設から出てしまった場合でも、次回の遊技施設への来店時に店員は遊技客に対してトレイ８４に置き忘れた備品８８を返却することができる。なお、遊技台１２に各台カメラを設置し、この各台カメラによりトレイ８４に置き忘れた備品８８および遊技客の顔を撮像し、当該各台カメラにより撮像された画像データに基づいてトレイ８４に置き忘れた備品８８と遊技客の顔との照合を行うようになっていてもよい。
【００６９】
次に、第３の実施の形態の遊技システム１０における第４の態様に係る表示装置９０について図２０乃至図２３を用いて説明する。なお、図２０は、第３の実施の形態による遊技システム１０の第４の態様における表示装置９０の構成を示す正面図であり、図２１は、図２０に示す表示装置９０のＢ−Ｂ矢視による縦断面図であり、図２２は、図２０に示す表示装置９０のＣ−Ｃ矢視による縦断面図であり、図２３は、図２０に示す表示装置９０を右側から左向きに見たときの側面図である。
【００７０】
図２０乃至図２３に示すような表示装置９０では、図１７乃至図１９に示すような表示装置８０と同様に、傾斜した前面部分に大型のＬＣＤタッチパネル９２が設けられるとともにこのＬＣＤタッチパネル９２の上方にトレイ９４が設けられており、遊技客はこのトレイ９４にタバコ箱や飲料缶等の備品９８を載置することができるようになっている。また、図２０に示すように、表示装置２０の傾斜した前面部分におけるＬＣＤタッチパネル９２の右側には、スマートフォン等の携帯電話９９を保持するための保持部９５が設けられており、この保持部９５により携帯電話９９は表示装置２０の傾斜した前面部分に沿って傾斜した状態で保持されるようになる（図２３参照）。このことにより、図１７乃至図１９に示すような表示装置８０と比較して、遊技者は携帯電話９９の表示画面をより見やすくなる。また、表示装置９０における携帯電話９９の載置面の下方には、当該携帯電話９９に記憶された情報を読み取ったりこの携帯電話９９に様々な情報を送信したりするための携帯電話認証用リーダライタ９６が内蔵されている。このことにより、図２３に示すように、保持部９５により携帯電話９９が表示装置９０の傾斜した前面部分に沿って傾斜した状態で保持されると、この携帯電話９９に記憶された情報が携帯電話認証用リーダライタ９６により読み取られたり、遊技台１２の様々な情報（例えば、遊技媒体数等）が携帯電話認証用リーダライタ９６により携帯電話９９に送信されたりするようになる。
【００７１】
また、表示装置９０における保持部９５近傍の側面には、当該保持部９５により保持された携帯電話９９の充電や当該携帯電話９９との通信を行うためのコネクタ９７が設けられており、保持部９５により保持された携帯電話９９に当該コネクタ９７を差し込むことにより、この携帯電話９９の充電を行ったり当該携帯電話９９と表示装置９０との間で通信を行ったりすることができるようになっている。
【００７２】
次に、第３の実施の形態の遊技システム１０における第５の態様に係る表示装置１００について図２４乃至図２６を用いて説明する。なお、図２４は、第３の実施の形態による遊技システム１０の第５の態様における表示装置１００の構成を示す正面図であり、図２５は、図２４に示す表示装置１００のＤ−Ｄ矢視による縦断面図であり、図２６は、図２４に示す表示装置１００のトレイ１０４を上方から見たときの上面図である。
【００７３】
図２４乃至図２６に示す表示装置１００では、図１７乃至図１９に示すような表示装置８０や図２０乃至図２３に示すような表示装置９０とは異なり、傾斜した前面部分に大型のＬＣＤタッチパネルは設けられておらず、代わりに、表示装置１００の傾斜した前面部分において、図２４における斜線領域にて、遊技台１２の遊び方や遊技施設の広告等の案内表示１０２が行われるようになっている。このような表示装置１００でも、案内表示１０２の上方にトレイ１０４が設けられており、遊技客はこのトレイ１０４にスマートフォン等の携帯電話やタバコ箱、飲料缶等の備品１０８を載置することができるようになっている。また、トレイ１０４における備品１０８の載置面の下方には、携帯電話に記憶された情報を読み取ったりこの携帯電話に様々な情報を送信したりするための携帯電話認証用リーダライタ１０６が内蔵されている。このことにより、トレイ１０４に携帯電話が載置されると、このトレイ１０４に載置された携帯電話に記憶された情報が携帯電話認証用リーダライタ１０６により読み取られたり、遊技台１２の様々な情報（例えば、遊技媒体数等）が携帯電話認証用リーダライタ１０６により携帯電話に送信されたりするようになる。
【００７４】
また、図２６に示すように、トレイ１０４にはタッチセンサ１０４ａが設けられており、当該トレイ１０４に携帯電話等の備品１０８が載置されるとこのことがタッチセンサ１０４ａにより検知されるようになっている。このようなタッチセンサ１０４ａがトレイ１０４に設けられていることにより、遊技客が遊技台１２での遊技を終えた後、携帯電話等の備品１０８をトレイ１０４に置き忘れることを防止することができる。
【００７５】
〔第４の実施の形態〕
以下、本発明の第４の実施の形態について説明する。図２７乃至図４７は、第４の実施の形態による遊技システムを示す図である。このうち、図２７乃至図３５は、第４の実施の形態による遊技システムの第１の態様の構成を示す図であり、図３６乃至図３８は、第４の実施の形態による遊技システムの第２の態様の構成を示す図である。図３９乃至図４１は、第４の実施の形態による遊技システムの第３の態様の構成を示す図であり、図４２乃至図４７は、第４の実施の形態による遊技システムの第４の態様の構成を示す図である。
【００７６】
第４の実施の形態による遊技システムの第１の態様の構成では、遊技台１２の内部にある紙幣搬送装置（図示せず）で発生した紙幣の搬送ジャム等を解消したり、遊技台１２の内部の様々なエラーを解除したりするために遊技台１２の下部扉１６を表示装置２０とともに一体的に開く動作、および遊技台１２を入れ替えるために表示装置２０のみを遊技台１２の前面から開く動作をそれぞれ行うことができるようにするために、表示装置２０と台間ユニット５０とを接続する接続部５２において表示装置２０の回転支点を２つ設けている。
【００７７】
このような第４の実施の形態による遊技システムの第１の態様について、図２７乃至図３５を用いて説明する。ここで、図２７は、第４の実施の形態による遊技システム１０の第１の態様の構成を示す上面図であり、図２８は、図２７に示す遊技システム１０において表示装置２０および下部扉１６を一体的に開いたときの状態を示す上面図であり、図２９は、図２７に示す遊技システム１０において遊技台を入れ替えるために表示装置２０のみを遊技台１２の前面から開いたときの状態を示す上面図である。また、図３０は、図２７に示す遊技システム１０における表示装置２０と台間ユニット５０とを接続する接続部５２の構成を示す上面図であり、図３１は、図３０に示す遊技システム１０を前方から見たときの表示装置２０や接続部５２の構成を示す正面図であり、図３２は、図３１に示す接続部５２のＥ−Ｅ矢視による断面図である。また、図３３は、図３０に示す接続部５２の構成の詳細を示す上面図であって、遊技台２０と台間ユニット５０とが互いに隣接しているときの状態を示す図であり、図３４および図３５は、図３０に示す接続部５２の構成の詳細を示す上面図であって、遊技台２０と台間ユニット５０とが離間しているときの様々な状態を示す図である。
【００７８】
図２７等に示すように、表示装置２０と台間ユニット５０とを接続する接続部５２には、遊技台１２の幅方向（図２７における左右方向）に沿って並ぶよう第１の回転軸５４および第２の回転軸５６が設けられている。これらの第１の回転軸５４および第２の回転軸５６はそれぞれ鉛直方向に延びるよう形成されており、第１の回転軸５４および第２の回転軸５６のうちいずれか一方の回転軸を中心として表示装置２０が水平面に沿って回転するようになっている。
【００７９】
ここで、遊技台１２の内部にある紙幣搬送装置（図示せず）で発生した紙幣の搬送ジャム等を解消したり、遊技台１２の内部の様々なエラーを解除したりするために遊技台１２の下部扉１６を表示装置２０とともに一体的に開く場合には、図２８に示すように第１の回転軸５４を中心として表示装置２０および下部扉１６を一体的に回転させ、これらの表示装置２０および下部扉１６を遊技台１２の前面から開くようにする。なお、この際に、上部扉１４を一緒に開いてもよい。一方、遊技台１２を入れ替えるためにこの遊技台１２を引き出すスペースを形成する場合には、表示装置２０を下部扉１６から取り外した後、図２９に示すように第２の回転軸５６を中心として表示装置２０のみを回転させ、この表示装置２０を遊技台１２の前面から開くようにする。ここで、第２の回転軸５６が第１の回転軸５４よりも遊技台１２の幅方向における当該遊技台１２から離れた位置に設けられているため、第２の回転軸５６を中心として表示装置２０のみを回転させた場合には、この遊技台１２の前面スペースをより広くすることができ、遊技台１２を引き出すための十分な大きさのスペースを確保することができるようになる。このように、本実施の形態では、第１の回転軸５４は、下部扉１６を開く時に表示装置２０の移動を可能にする第１の移動手段として機能し、また、第２の回転軸５６は、遊技台１２の前面から表示装置２０を退避させる第２の移動手段として機能するようになっている。
【００８０】
表示装置２０と台間ユニット５０とを接続する接続部５２の構成の詳細について図３０乃至図３２を用いて説明する。接続部５２は、台間ユニット５０側から順に、第１の接続部分５２ａ、第２の接続部分５２ｂ、第３の接続部分５３ｃという３つの接続部分から構成されており、第１の接続部分５２ａは台間ユニット５０の前面に取り付けられているとともに第３の接続部分５３ｃは表示装置２０の側面に取り付けられている。また、第１の接続部分５２ａには第１の回転軸５４が鉛直方向に延びるよう設けられているとともに、第３の接続部分５２ｃには第２の回転軸５６が鉛直方向に延びるよう設けられている。また、第２の接続部分５２ｂには長穴５３が形成されており、第１の回転軸５４は第２の接続部分５２ｂの長穴５３に挿入されてこの長穴５３内で移動可能となっている。また、この第２の接続部分５２ｂは第２の回転軸５６を中心として第３の接続部分５２ｃに対して回転可能となっている。
【００８１】
また、図３２に示すように、接続部５２の各接続部分５２ａ、５２ｂ、５２ｃには通信ケーブル５２ｄが配設されており、この通信ケーブル５２ｄを介して表示装置２０と台間ユニット５０との間で通信が行われるようになっている。
【００８２】
ここで、第３の接続部分５２ｃに設けられた第１の回転軸５４が第２の接続部分５２ｂの長穴５３に挿入されてこの長穴５３内で移動可能となっているため、第１の回転軸５４と第２の回転軸５６との間の距離が可変となり、接続部５２は伸縮可能となっている。このことにより、遊技台１２と台間ユニット５０との間に化粧板や宣伝用のポップ板等が挟まれることによりこれらの遊技台１２および台間ユニット５０の間に任意の大きさの隙間が形成された場合や、台間ユニット５０の前面が遊技台１２の前面から前方に突出したり後方に退避したりした場合でも、接続部５２を伸縮させることによりこの遊技台１２の前面に設けられた表示装置２０と台間ユニット５０との間の接続を維持することができるようになる。このように、長穴５３は、台間ユニット５０に対する表示装置２０の相対位置を調整するための位置調整手段として機能するようになっている。上記事項について図３３乃至図３５を用いて具体的に説明する。
【００８３】
図３３は、遊技台１２と台間ユニット５０とが互いに隣接しているときの接続部５２等の上面図である。図３３に示す例では、第１の回転軸５４は長穴５３の左側の端部に位置し、第１の回転軸５４と第２の回転軸５６との間の距離はＬ１となっている。これに対し、図３４に示すように、遊技台１２と台間ユニット５０との間に化粧板や宣伝用のポップ板等が挟まれることによりこれらの遊技台１２および台間ユニット５０が離間し、また、台間ユニット５０の前面が遊技台１２の前面から後方に退避した場合には、第１の回転軸５４は長穴５３内で移動してこの長穴５３の右側の端部に位置するようになる。このときには、第１の回転軸５４と第２の回転軸５６との間の距離は、前述したＬ１よりも大きいＬ２となる。また、図３５に示すように、遊技台１２および台間ユニット５０が離間するとともに、台間ユニット５０の前面が遊技台１２の前面から前方に進出した場合にも、第１の回転軸５４は長穴５３内で移動してこの長穴５３の右側の端部に位置するようになる。このときにも、第１の回転軸５４と第２の回転軸５６との間の距離は、前述したＬ１よりも大きいＬ２となる。このように、遊技台１２および台間ユニット５０が離間した場合や、台間ユニット５０の前面が遊技台１２の前面から前方に突出したり後方に退避したりした場合でも、第１の回転軸５４と第２の回転軸５６との間の距離を変えることにより、表示装置２０と台間ユニット５０との間の接続を維持することができるようになる。
【００８４】
次に、第４の実施の形態の遊技システム１０における第２の態様について図３６乃至図３８を用いて説明する。なお、図３６は、第４の実施の形態による遊技システム１０の第２の態様の構成を示す上面図であり、図３７は、図３６に示す遊技システム１０において表示装置２０および下部扉１６を一体的に開いたときの状態を示す上面図であり、図３８は、図３６に示す遊技システム１０において遊技台１２を入れ替えるために表示装置２０のみを遊技台１２の前面から開いたときの状態を示す上面図である。
【００８５】
第４の実施の形態による遊技システムの第２の態様の構成では、遊技台１２の内部にある紙幣搬送装置（図示せず）で発生した紙幣の搬送ジャム等を解消したり、遊技台１２の内部の様々なエラーを解除したりするために遊技台１２の下部扉１６を表示装置２０とともに一体的に開く動作、および遊技台１２を入れ替えるために表示装置２０のみを遊技台１２の前面から開く動作をそれぞれ行うことができるようにするために、表示装置２０と台間ユニット５０とを接続する接続部５２において表示装置２０の回転支点を１つ設けるとともに、この回転支点を遊技台１２の幅方向に沿ってスライドさせることができるようになっている。
【００８６】
図３６等に示すように、表示装置２０と台間ユニット５０とを接続する接続部５２には、第１の回転軸５４が鉛直方向に延びるよう設けられている。なお、図２７乃至図３５に示すような遊技システムの第１の態様と異なり、接続部５２に第２の回転軸５６は設けられておらず、代わりに、遊技台１２の幅方向に沿って第１の回転軸５４をスライドさせるスライド部５７が接続部５２に設けられている。
【００８７】
ここで、遊技台１２の内部にある紙幣搬送装置（図示せず）で発生した紙幣の搬送ジャム等を解消したり、遊技台１２の内部の様々なエラーを解除したりするために遊技台１２の下部扉１６を表示装置２０とともに一体的に開く場合には、図３７に示すように第１の回転軸５４を中心として表示装置２０および下部扉１６を一体的に回転させ、これらの表示装置２０および下部扉１６を遊技台１２の前面から開くようにする。なお、この際に、上部扉１４を一緒に開いてもよい。一方、遊技台１２を入れ替えるためにこの遊技台１２を引き出すスペースを形成する場合には、表示装置２０を下部扉１６から取り外した後、図３８に示すようにスライド部５７によって第１の回転軸５４を遊技台１２から遠ざかるよう（すなわち、図３８における左方向に）スライドさせる。その後、第１の回転軸５４を中心として表示装置２０のみを回転させ、この表示装置２０を遊技台１２の前面から開くようにする。ここで、スライド部５７によって第１の回転軸５４を遊技台１２から遠ざかるようスライドさせるため、スライドした後の第１の回転軸５４を中心として表示装置２０のみを回転させたときに、この遊技台１２の前面スペースをより広くすることができ、遊技台１２を引き出すための十分な大きさのスペースを確保することができるようになる。
【００８８】
次に、第４の実施の形態の遊技システム１０における第３の態様について図３９乃至図４１を用いて説明する。なお、図３９は、第４の実施の形態による遊技システム１０の第３の態様の構成を示す上面図であり、図４０は、図３９に示す遊技システム１０において表示装置２０および下部扉１６を一体的に開いたときの状態を示す上面図であり、図４１は、図３９に示す遊技システム１０において遊技台１２を入れ替えるために表示装置２０のみを遊技台１２の前面から開いたときの状態を示す上面図である。
【００８９】
第４の実施の形態による遊技システムの第３の態様の構成では、遊技台１２の内部にある紙幣搬送装置（図示せず）で発生した紙幣の搬送ジャム等を解消したり、遊技台１２の内部の様々なエラーを解除したりするために遊技台１２の下部扉１６を表示装置２０とともに一体的に開く動作、および遊技台１２を入れ替えるために表示装置２０のみを遊技台１２の前面から開く動作をそれぞれ行うことができるようにするために、表示装置２０と台間ユニット５０とを接続する接続部５２において表示装置２０の回転支点を１つ設けるとともに、接続部５２自体を台間ユニット５０の前面に対して着脱可能とするようになっている。
【００９０】
図３９等に示すように、表示装置２０と台間ユニット５０とを接続する接続部５２には、第１の回転軸５４が鉛直方向に延びるよう設けられている。なお、図２７乃至図３５に示すような遊技システムの第１の態様と異なり、接続部５２に第２の回転軸５６は設けられておらず、代わりに、台間ユニット５０の前面に対して着脱可能となっている着脱コネクタ５９が接続部５２に設けられている。
【００９１】
ここで、遊技台１２の内部にある紙幣搬送装置（図示せず）で発生した紙幣の搬送ジャム等を解消したり、遊技台１２の内部の様々なエラーを解除したりするために遊技台１２の下部扉１６を表示装置２０とともに一体的に開く場合には、図４０に示すように第１の回転軸５４を中心として表示装置２０および下部扉１６を一体的に回転させ、これらの表示装置２０および下部扉１６を遊技台１２の前面から開くようにする。なお、この際に、上部扉１４を一緒に開いてもよい。一方、遊技台１２を入れ替えるためにこの遊技台１２を引き出すスペースを形成する場合には、表示装置２０を下部扉１６から取り外した後、図４１に示すように台間ユニット５０の前面に対する着脱コネクタ５９の係合を解除する。このことにより、図４１の矢印に示すように、表示装置２０および接続部５２が台間ユニット５０から一体的に取り外されるようになる。このように、表示装置２０および接続部５２を台間ユニット５０から一体的に取り外すことにより、この遊技台１２の前面スペースをより広くすることができ、遊技台１２を引き出すための十分な大きさのスペースを確保することができるようになる。
【００９２】
次に、第４の実施の形態の遊技システム１０における第４の態様について図４２乃至図４７を用いて説明する。なお、図４２は、第４の実施の形態による遊技システム１０の第４の態様の構成を示す斜視図であり、図４３は、図４２に示す遊技システム１０の上面図である。また、図４４は、図４３に示す遊技システム１０において表示装置２０および下部扉１６を一体的に開いたときの状態を示す上面図であり、図４５は、図４３に示す遊技システム１０において遊技台を入れ替えるために表示装置２０のみを遊技台１２の前面から開いたときの状態を示す上面図である。また、図４６は、図４３に示す遊技システム１０において遊技台１２と台間ユニット５０とが離間しているときの状態を示す上面図であり、図４７は、図４６に示すように遊技台１２と台間ユニット５０とが離間しているときに表示装置２０および下部扉１６を一体的に開いたときの状態を示す上面図である。
【００９３】
図４２乃至図４７に示すような第４の実施の形態の遊技システム１０における第４の態様では、表示装置２０と台間ユニット５０とを接続する接続部として、複数の関節を有するアーム型の接続部７０が用いられるようになっている。このような接続部７０の構成の詳細について図４２および図４３を用いて説明する。
【００９４】
図４２および図４３に示すように、接続部７０は、第１の接続部分７２および第２の接続部分７４という２つの接続部分から構成されている。ここで、第１の接続部分７２の一方の端部は第１の回転軸７５により表示装置２０の側部に回転自在に取り付けられており、第２の接続部分７４の一方の端部は第２の回転軸７６により第１の接続部分７２の他方の端部に回転自在に取り付けられている。また、第２の接続部分７４の他方の端部は第３の回転軸７７により台間ユニット５０の前面に回転自在に取り付けられている。また、接続部７０の第１の接続部分７２内および第２の接続部分７４内にはそれぞれ、表示装置２０と台間ユニット５０との間で通信を行うための通信ケーブルが設けられている。
【００９５】
ここで、遊技台１２の内部にある紙幣搬送装置（図示せず）で発生した紙幣の搬送ジャム等を解消したり、遊技台１２の内部の様々なエラーを解除したりするために遊技台１２の下部扉１６を表示装置２０とともに一体的に開く場合には、図４３に示すような接続部７０の状態から、図４４に示すように第３の回転軸７７を中心として台間ユニット５０の前面に対して第２の接続部分７４を回転させるとともに第２の回転軸７６を中心として第２の接続部分７４に対して第１の接続部分７２を回転させ、さらに第１の回転軸７５を中心として第１の接続部分７２に対して表示装置２０および下部扉１６を一体的に回転させる。この際に、図４４に示すように、第２の回転軸７６を挟んだ第１の接続部分７２と第２の接続部分７４との間の角度をできるだけ小さくするようにする。このことにより、表示装置２０および下部扉１６が遊技台１２の前面から開くようになる。なお、この際に、上部扉１４を一緒に開いてもよい。
【００９６】
一方、遊技台１２を入れ替えるためにこの遊技台１２を引き出すスペースを形成する場合には、表示装置２０を下部扉１６から取り外した後、図４３に示すような接続部７０の状態から、第２の回転軸７６を中心として第２の接続部分７４に対して第１の接続部分７２を回転させるとともに第１の回転軸７５を中心として第１の接続部分７２に対して表示装置２０を回転させる。この際に、第２の回転軸７６を挟んで第１の接続部分７２および第２の接続部分７４ができるだけ直線状に延びるようにする。このことにより、遊技台１２の前面スペースをより広くすることができ、遊技台１２を引き出すための十分な大きさのスペースを確保することができるようになる。
【００９７】
また、接続部７０は、複数の関節を有するアーム型となっているため、第１の接続部分７２の端部を表示装置２０の側部に回転自在に取り付ける第１の回転軸７５と、第２の接続部分７４の端部を台間ユニット５０の前面に回転自在に取り付ける第３の回転軸７７との間の距離が可変となる。このことにより、遊技台１２と台間ユニット５０との間に化粧板や宣伝用のポップ板等が挟まれることによりこれらの遊技台１２および台間ユニット５０の間に任意の大きさの隙間が形成された場合や、台間ユニット５０の前面が遊技台１２の前面から前方に突出したり後方に退避したりした場合でも、遊技台１２の前面に設けられた表示装置２０と台間ユニット５０との間の接続を維持することができるようになる。このことについて図４６および図４７を用いて具体的に説明する。
【００９８】
図４６に示すように、遊技台１２と台間ユニット５０との間に化粧板や宣伝用のポップ板等が挟まれることによりこれらの遊技台１２および台間ユニット５０が離間した場合には、図４３に示すような接続部７０の状態から、第３の回転軸７７を中心として台間ユニット５０の前面に対して第２の接続部分７４を回転させるとともに第２の回転軸７６を中心として第２の接続部分７４に対して第１の接続部分７２を回転させることにより、図４６に示すように第１の回転軸７５と第３の回転軸７７との間の距離を大きくする。このことにより、表示装置２０と台間ユニット５０との間の接続を維持することができるようになる。
【００９９】
また、遊技台１２および台間ユニット５０が離間している状態でも、遊技台１２の内部にある紙幣搬送装置（図示せず）で発生した紙幣の搬送ジャム等を解消したり、遊技台１２の内部の様々なエラーを解除したりするために遊技台１２の下部扉１６を表示装置２０とともに一体的に開く動作、および遊技台１２を入れ替えるために表示装置２０のみを遊技台１２の前面から開く動作をそれぞれ行うことができるようになっている。具体的には、遊技台１２の下部扉１６を表示装置２０とともに一体的に開く場合には、図４６に示すような接続部７０の状態から、図４７に示すように第３の回転軸７７を中心として台間ユニット５０の前面に対して第２の接続部分７４を回転させるとともに第２の回転軸７６を中心として第２の接続部分７４に対して第１の接続部分７２を回転させ、さらに第１の回転軸７５を中心として第１の接続部分７２に対して表示装置２０および下部扉１６を一体的に回転させる。この際に、図４７に示すように、第２の回転軸７６を挟んだ第１の接続部分７２と第２の接続部分７４との間の角度をできるだけ小さくするようにする。このことにより、表示装置２０および下部扉１６が遊技台１２の前面から開くようになる。なお、この際に、上部扉１４を一緒に開いてもよい。また、図示しないが、遊技台１２を入れ替えるために表示装置２０のみを遊技台１２の前面から開く場合にも、図４６に示すような接続部７０の状態から、第２の回転軸７６を中心として第２の接続部分７４に対して第１の接続部分７２を回転させるとともに第１の回転軸７５を中心として第１の接続部分７２に対して表示装置２０を回転させる。この際に、第２の回転軸７６を挟んで第１の接続部分７２および第２の接続部分７４ができるだけ直線状に延びるようにする。このことにより、遊技台１２の前面スペースをより広くすることができ、遊技台１２を引き出すための十分な大きさのスペースを確保することができるようになる。
【０１００】
このように、第４の実施の形態の遊技システム１０における第４の態様では、複数の関節を有するアーム型の接続部７０を用いることにより、遊技台１２および台間ユニット５０が離間した場合でも、表示装置２０と台間ユニット５０との間の接続を維持しながら、表示装置２０を下部扉１６と一体的に開いたり、表示装置２０のみを遊技台１２の前面から開いてこの遊技台１２の入れ替えを行ったりすることができるようになる。
【０１０１】
なお、第１〜第４の実施の形態の各々で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【符号の説明】
【０１０２】
１０  遊技システム
１２  遊技台
１４  上部扉
１６  下部扉
１８  膳板
１８ａ  段差部
２０  表示装置
２２  凹部
２４  ピン
２６  レバー
２７  本体部分
２７ａ  被係合部分
２７ｂ  ＬＣＤタッチパネル
２７ｃ  ネジ穴
２８  カバー
２８ａ  ツメ
２８ｂ  ネジ用開口
２８ｃ  接続部用開口
２８ｄ  保護シート用スリット
２９  保護シート
３０  係合体
３２  第１の係合手段
３３  ネジ穴
３４  ネジ穴
３５  ネジ
３６  第２の係合手段
３７  突起部
３８  穴
５０  台間ユニット
５２  接続部
５２ａ  第１の接続部分
５２ｂ  第２の接続部分
５２ｃ  第３の接続部分
５２ｄ  通信ケーブル
５２ｍ、５２ｎ  部材
５３  長穴
５４  第１の回転軸
５６  第２の回転軸
５７  スライド部
５９  着脱コネクタ
６０  第１の揺動体
６１  ローラ
６２  支持部材
６３  軸
６４  第２の揺動体
６５  振り子
６６  軸
６７  支持部材
７０  接続部
７２  第１の接続部分
７４  第２の接続部分
７５  第１の回転軸
７６  第２の回転軸
７７  第３の回転軸
８０  表示装置
８２  ＬＣＤタッチパネル
８４  トレイ
８４ａ  タッチセンサ
８６  携帯電話認証用リーダライタ
８８  備品
９０  表示装置
９２  ＬＣＤタッチパネル
９４  トレイ
９５  保持部
９６  携帯電話認証用リーダライタ
９７  コネクタ
９８  備品
９９  携帯電話
１００  表示装置
１０２  案内表示
１０４  トレイ
１０４ａ  タッチセンサ
１０６  携帯電話認証用リーダライタ
１０８  備品
２００  主制御部
２０２  演出制御部
２０４  遊技媒体制御部
２０６  通信制御部
２０８  発射装置
２１０  計数操作部
２１２  遊技媒体表示部
３００  主制御部
３０２  カードリーダライタ
３０４  紙幣識別部
３０６  記憶部
３０８  管理装置Ｉ／Ｆ
３１０  通信制御部
３１２  表示装置Ｉ／Ｆ
４００  表示制御部
４０２  記憶部
４０４  台間ユニットＩ／Ｆ
５００  管理装置
【図１Ａ】
2015058190.tif 000003
【図１Ｂ】
2015058190.tif 000004
【図２】
2015058190.tif 000005
【図３】
2015058190.tif 000006
【図４】
2015058190.tif 000007
【図５】
2015058190.tif 000008
【図６】
2015058190.tif 000009
【図７】
2015058190.tif 000010
【図８】
2015058190.tif 000011
【図９】
2015058190.tif 000012
【図１０】
2015058190.tif 000013
【図１１】
2015058190.tif 000014
【図１２】
2015058190.tif 000015
【図１３】
2015058190.tif 000016
【図１４】
2015058190.tif 000017
【図１５】
2015058190.tif 000018
【図１６】
2015058190.tif 000019
【図１７】
2015058190.tif 000020
【図１８】
2015058190.tif 000021
【図１９】
2015058190.tif 000022
【図２０】
2015058190.tif 000023
【図２１】
2015058190.tif 000024
【図２２】
2015058190.tif 000025
【図２３】
2015058190.tif 000026
【図２４】
2015058190.tif 000027
【図２５】
2015058190.tif 000028
【図２６】
2015058190.tif 000029
【図２７】
2015058190.tif 000030
【図２８】
2015058190.tif 000031
【図２９】
2015058190.tif 000032
【図３０】
2015058190.tif 000033
【図３１】
2015058190.tif 000034
【図３２】
2015058190.tif 000035
【図３３】
2015058190.tif 000036
【図３４】
2015058190.tif 000037
【図３５】
2015058190.tif 000038
【図３６】
2015058190.tif 000039
【図３７】
2015058190.tif 000040
【図３８】
2015058190.tif 000041
【図３９】
2015058190.tif 000042
【図４０】
2015058190.tif 000043
【図４１】
2015058190.tif 000044
【図４２】
2015058190.tif 000045
【図４３】
2015058190.tif 000046
【図４４】
2015058190.tif 000047
【図４５】
2015058190.tif 000048
【図４６】
2015058190.tif 000049
【図４７】
2015058190.tif 000050